(57)【要約】各肩紐（４）を含むブラジャーであって、２つのカップ（２）の間にある中央リンク（１８）と出会う内側補強縁部（１６）を介して、さらに、カップからいくらかの距離をおいて、外側縁部と前記カップとの間でカップの頂部まで上がる（延びる）側方ベルト（８）の上側の輪郭を形成する外側補強縁部（２０）を介して、前方に延びる各肩紐（４）と、カップ（２）の下で始まり、外側に延び、連続的に上に上がり、肩紐（４）の後方取付け点（６）で終端する支持用縁部（２２）とを含み、前記支持用縁部が、ベルト（８）と独立した支持部（３０）の上側の輪郭を形成するブラジャー。【選択図】図１ａ
2018500474.tif 000002
【特許請求の範囲】
【請求項１】
中央リンク（１８）によって互いに取付けられた２つのカップ（２）を含むブラジャーであって、
各々の側に前記カップの側部に付けられる側方ベルト（８）、ならびに前部で前記カップの上部を支える肩紐（４）を含み、
前記側方ベルトは互いに前記ベルトをつなぐための中央の後部ホック（１２）により後方で終端し、
各肩紐（４）が、中央リンク（１８）と出会う内側補強縁部（１６）を介して、および、カップ（２）から隔たり、ベルト（８）の上側の輪郭を形成する、ホック（１２）まで連続的に下降しながら延在する外側補強縁部（２０）を介して、前方に延び、
当該ベルトが、前記外側縁部と前記カップの間でカップの頂部まで上に上がることを特徴とし、
カップ（２）の下で始まり、外側に延び、連続的に上に行き、肩紐（４）の後方取付け点（６）で終端する支持用縁部（２２）をさらに含み、
前記支持用縁部が、ベルト（８）と独立した支持部（３０）の上側の輪郭を形成する、
前記ブラジャー。
【請求項２】
前記２つのベルト（８）の下側を連続的に覆う下側補強縁部（３２）を含むことを特徴とする、
請求項１に記載のブラジャー。
【請求項３】
前記下側縁部（３２）がまた、支持部（３０）の下側を覆っていることを特徴とする、
請求項２に記載のブラジャー。
【請求項４】
支持部（３０）の上側を覆う支持用縁部（２２）が、前記後部ホック（１２）へと対称な曲線で下る後側縁部（２８）によって、後方取付け部（６）を越えて延在することを特徴とする、
先行請求項のいずれか１項に記載のブラジャー。
【請求項５】
支持用縁部（２２）及び支持部（３０）が、ベルト（８）の表（外）側に配置されていることを特徴とする、
先行請求項のいずれか１項に記載のブラジャー。
【請求項６】
各カップ（２）が、中央リンク（１８）で始まり、その下側の輪郭に、そしてその後は外側の輪郭に沿い、最後には接合点（２６）で内側縁部（１６）と出会う、各々の側の包囲型境界（２４）を含むことを特徴とする、
先行請求項のいずれか１項に記載のブラジャー。
【請求項７】
中央リンク（１８）が、前記２つのカップ（２）を隔てる小さい水平な上側縁部を含むことを特徴とする、
先行請求項のいずれか１項に記載のブラジャー。
【請求項８】
前記２つの内側縁部（１６）が、前記中央リンク（１８）で平行に出会うことを特徴とする、
請求項１〜６のいずれか１項に記載のブラジャー。
【請求項９】
前記２つの内側縁部（１６）が、前記中央リンク（１８）において約９０°の角度で交差することを特徴とする、
請求項１〜６のいずれか１項に記載のブラジャー。
【請求項１０】
前記内側縁部（１６）が、前記包囲型境界（２４）との接合点（２６）で角度を形成することを特徴とする、
請求項６に記載のブラジャー。
【発明の詳細な説明】
【技術分野】
【０００１】
本発明は、ブラジャーに相当する女性の下着に関する。
【背景技術】
【０００２】
ブラジャーには、乳房を収容し、それらを支えて形を保持するように設計された２つのカップが含まれている。
【０００３】
現在使用されている公知のブラジャーの１つのタイプは、前述のカップ間の前部に中央リンクを含むカップサポートと、肩にかかる肩紐を用いる各カップ用の上側サポートと、さらに、前述のカップの底部から始まって、腕の下を通り、後部に位置付けられる中央ホックによって他方の側から来るベルトを連結する側方ベルトによる側方ガイドとを含む。各肩紐の後端は、各側方ベルトの後部に付けられている。
【０００４】
また、各カップは支持（サポート）機能の分化を含み、この分化には、肩紐による上部での高さの維持、及び、各々の側で底部に向かう、他方のカップとの中央リンクによって中央に、および他方のベルトに後部で付けられる側方ベルトによって側部に、提供される側方サポートが含まれる。２つのカップの前述の側方サポートによって、女性のバストを取り囲む帯が得られ、これが胸部にカップの覆いを成し遂げる。
【０００５】
さらなる利点として、カップは、半剛性フレームを含むことができる。これは３次元の特有の曲線を提供するように乳房の下を通る下側の輪郭をたどる。２つのカップに、２つの簡素で独立したフレームを使用しても、中央リンクを含む１つの共通するダブルフレームを使用してもよい。フレームは、特に金属であってもよいし、プラスチック材料で作ってもよい。
【０００６】
ブラジャーは、時に調整困難な多くの制約、例えば、特に様々な形態への適用、乳房の効果的な支持、煩わしさや苛立ちまたは傷害を生じる可能性がある大きな局所的な力を特に避けつつ与える相当の快適さ、及び乳房を誇示する曲線を含む審美的性質、に応じなければならない。
【０００７】
発生する１つの問題は、薄い肩紐が、一般に各々の側で使用され、カップの頂部に垂れ、側方ベルトが、カップの側部に下部で直接付けられ、それによって前述の２つの取付け点の間のカップに張力が発生し、体に不快な圧迫点を与える可能性があるということである。
【０００８】
生じるもう１つの問題は、乳房の間にある胸の部分と、ブラジャー前部の中央部分が向かい合うようにして、カップがそこから離れないようにし、フレームなしで、または薄くて軽いフレームで、確実に乳房に所望の曲線を与えるように支え、動きを妨げることなく、相当の快適性と良好な柔軟性を保つようにすることである。
【発明の概要】
【０００９】
本発明は、特に、先行技術の前述の欠点を回避することを目的とする。
【００１０】
この目的のためのブラジャーが提案されており、ブラジャーは中央リンクによって互いに取付けられた２つのカップを含み、ブラジャーは各々の側にカップの側部に付けられた側方ベルトを含み、側方ベルトは互いにベルトをつなぐための後部の中央ホックにより後方で終端し、同様にブラジャーは前部でカップの上部を支える肩紐を含み、それぞれの肩紐が、中央リンクと接続する内側補強縁部を介して、および、カップの細長い外側補強縁部を介して、前方に延びることで差別化され、外側補強縁部がホックと出会うように連続的に下降しながら延在してベルトの上側の輪郭を形成し、前記ベルトが外側縁部と前記カップとの間をカップの頂部まで延在し、このブラジャーはさらに支持用縁部を含み、支持用縁部がカップの下で始まり外側に延び連続的に上に上がり肩紐の取付け点で終端し、この支持用縁部がベルトと独立した支持部の上側の輪郭を形成する。
【００１１】
前述のブラジャーの１つの利点は、ベルトの弾性の布地によってカップから幾分離れた、連続的に下降する外側補強縁部と、連続的に上りながら外側に延びるカップの下の支持用縁部と、支持部とが、乳房の重量を支える有効な手段を構成することであり、例えばそれらの間で力を良好に分散させて、所望の曲線を維持しながらブラジャーの不快な局所的な伸張を回避し、組立体（集合体）にかなりの弾力を与えることである。
【００１２】
本発明によるブラジャーは、さらに、互いに組み合わせることができる以下の特徴の１つまたは複数を含むことができる。
【００１３】
好ましくは、ブラジャーは、２つのベルトの下側を連続的に覆う下側補強縁部を含む。
【００１４】
好ましくは、下側縁部は、また支持部の下側を覆っている。したがって、前述の支持部の下部は、隆起した縁取りを追加することなく簡単な方法で補強される。
【００１５】
好ましくは、支持部の上側に境界付けする支持用縁部が、後部ホックへと対称な曲線で下降する後側縁部によって後方取付け部を越えて延びる。したがって、後部の力の分散が得られ、肩紐の後方取付け部を快適にする。
【００１６】
特に、支持用縁部と支持部は、ベルトの表側に配置することができるが、それらを裏側に配置することもできる。
【００１７】
好ましくは、各カップは、中央リンクで始まり、その下側の輪郭、そしてその後は外側の輪郭に沿い、最後には接合点で内側縁部と出会う、包囲型境界を含む。前述の包囲型境界は、カップの輪郭の補強を達成する。
【００１８】
一実施形態によれば、中央リンクは、前述の２つのカップを隔てる小さい水平な上側縁部を含む。
【００１９】
別の実施形態によれば、前述の２つの内側縁部は、平行に中央リンクで出会う。
【００２０】
別の実施形態によれば、前述の２つの内側縁部は、約９０°の角度で中央リンクで交差する。
【００２１】
別の実施形態によれば、各内側縁部は、カップの包囲型境界との接合点で角度を形成する。
【００２２】
これらの多様な実施形態は各々、縁部を互いに接続するための特定の技術を提供する。
【００２３】
本発明は、添付の図面を参照しながら、以下の例により与えられる説明を読むと、よりよく理解され、他の利点がより明確に見えるであろう。
【図面の簡単な説明】
【００２４】
【図１ａ】平らにされて表側を示す、本発明によるブラジャーの図面である。
【図１ｂ】平らにされて裏側を示す、本発明によるブラジャーの図面である。
【図２ａ】第１の変形例によるブラジャーの表側を示す図面である。
【図２ｂ】第１の変形例によるブラジャーの裏側を示す図面である。
【図３ａ】第２の変形例によるブラジャーの表側を示す図面である。
【図３ｂ】第２の変形例によるブラジャーの裏側を示す図面である。
【図４ａ】第３の変形例による、人が着用しているブラジャーの表側を示す図面である。
【図４ｂ】第３の変形例による、人が着用しているブラジャーの裏側を示す図面である。
【発明を実施するための形態】
【００２５】
図１ａ及び図１ｂは、中央の垂直軸に対して対称なブラジャーを示しており、各側には肩紐４が含まれており、肩紐４の前端はカップ２の上部を支持し、後端は後方取付け点を形成するバックル６に入り、高さ調整ホック１０で終端するために上る。
【００２６】
カップ２の外側から始まる側方ベルト８は、人の腕の下を通り、後部の中央に行くとホック１２で終端する。ホック１２は他方の側からベルトの相補的なホック１２に固定される。
【００２７】
肩紐４の前端は、肩の上に来る前方取付け点１４を含み、次いでカップ２の頂部にある点と出会う内側補強縁部１６を介して下方に延び、次に前述のカップの内側の境界を形成し続け、最終的に２つのカップ間にある中央リンク１８で終端する。
【００２８】
また、肩紐４の前端は、外側補強縁部２０を介して前方取付け点１４を過ぎて下方に延びる。外側補強縁部２０は、カップ２からいくらかの距離をおきながら、カップ２に近づいた後離れ、対称的なカーブで連続的に下ることによって、概ね水平にホック１２に到達する側方ベルト８の上側の境界を形成する。
【００２９】
ブラジャーの下側補強縁部３２は、２つのベルト８の下側を連続的に覆い、１つのホック１２が、概ね水平に留まる方向で他方に連結する。
【００３０】
各カップ２は、包囲型境界２４を含み、これは中央リンク１８で始まり、前述のカップの下側の輪郭、そしてその後は外側の輪郭に沿い、最後には接合点２６で内側縁部１６と出会う。
【００３１】
２つの包囲型境界２４の２つの内側端部は、互いにおおよそ平行になることによって終端し、中央リンク１８で２つのカップ２を隔てる小さい水平な上側縁部を形成する。
【００３２】
各ベルト８は、外側縁部２０によって上方が、下側縁部３２によって下方が、包囲型境界２４によって内側が境界付けられている。各ベルト８は、後部、側方の略水平部、及び前部からなる。前部は、外側縁部２０と包囲型境界２４との間に小さな中間スペースを残しながら、それらの間を上がり（上方に拡がり）、前方取付け点１４の頂部で終端する。
【００３３】
各カップ２は、ベルト８の表（外）側に配置される支持用縁部２２を含み、この縁部は、前述のカップの下で始まり、包囲型境界２４に重ねられ、その後外側に延びて、対称的なカーブを上り、後方取付け点６に至る。
【００３４】
支持用縁部２２によって上方が境界付けられる支持部３０が、表（外）側に配置され、前述の部分は後方取付け点６まで対称的に後方に上り、その取付け点を通って後側縁部２８を通り、「煙突（Ｃｈｉｍｎｅｙ）」形とも呼ばれる先端を形成しながら、対称的なカーブで再び下降し、ホック１２で終わる。支持部３０は、下側縁部３２によって下方を境界付けられている。
【００３５】
外側縁部２０と支持用縁部２２は、人の脇の腕の下に位置する点３２で交差する。
【００３６】
カップ２の布地は比較的剛性である。その材料は変形防止され、乳房が布地で形作られた特定の曲線に沿った形状になるように強制する。
【００３７】
肩紐４、ならびに縁部１６、２０、２２、２８、３２及び境界２４は、ブラジャーの様々な布地による支持を提供するように、相対的に低い弾性で作用する。
【００３８】
ベルト８及び支持部３０の布地は、弾性の布地を構成し、伸びた後にその出発点まで変形せずに戻るように特別に設計された弾性を有している。
【００３９】
弾性があることにより、各ベルト８はさらに、前部が肩紐４に向かって上がり、比較的剛性のカップ２の側部全体に沿って延びて、前述のカップの有効な支持を構成し、前述のカップの大部分に支える力を分散する。
【００４０】
さらに、支持部３０と共に支持用縁部２２はまた、後方へ向かって上がり肩紐４の後方取付け点６によって支持されているため、力を分散させることでカップ２を支え、ベルト８を効果的に補う。
【００４１】
また、カップ２の支持は、ベルト８と支持部３０との２つの独立した布地を通しても得られる。これらは一緒に動くことができ、集合体にかなりの柔軟性を付与する。前述の２つの布地部８、３０は、それら自体が、破線により示している、各カップ２の内側を回って両方とも外側へ向かって上に上る、力を表す線によって支持される。このことは、その力が２本の線に沿って乳房の重量を分散し、肩紐４に力が集中するのを避けることにより、通常達成される。
【００４２】
そのうえ、カップ２のいかなる特定の箇所にも圧力が集中することがない。この圧力は、その場所で大きな変形をもたらしたり、不愉快になる不快感を人体に与えたりする可能性があるものである。さらに、力を分散させることや、２つの布地部８、３０を引っ張ることにより、肩紐４が肩に与える重量を軽くすることができ、それによって前述の肩紐の弾性縁部により皮膚に跡が付くのを避ける。
【００４３】
この種のブラジャーはスポーツブラとして特に魅力があり、依然として高水準の快適さを備え、かなり自由に動くことを可能にしながら、相当の支持を提供する。
【００４４】
さらなる利点として、ブラジャーは、必要に応じてカップ２の下の単一のフレーム、または２つの独立したフレームを収容することができ、フレームは各カップの周りを完全に一周するのでも、減少させて半円形のみを形成するのでもよい。本発明により構成された縁部及び独立した布地の効率的な支持により、前述のフレームは、支持の補足のみを提供するために通常使用されるものと比較して、少ない部分を示すことができることに留意されたい。その場合、フレームはそれほど煩わしいものではない。
【００４５】
図２ａ及び２ｂは、変形版としてベルト８の裏側に配置される支持用縁部２２ならびに支持部３０を含む、類似したブラジャーを描写している。
【００４６】
さらに、２つの内側縁部１６は中央リンク１８で平行に出会い、下側縁部３２で終端する。この構成は、特別な審美的性質と同様、内側縁部１６を接続するための異なる技術を提供する。
【００４７】
図３ａ及び図３ｂは、変形版として中央リンク１８において約９０°の角度で交差する２つの内側縁部１６を含む、類似したブラジャーを描写しており、その各々は支持用縁部２２の開始点を形成するように延びている。
【００４８】
内側縁部１６を接続するための別の技術によって、類似した性質を示すブラジャーが得られる。
【００４９】
図４ａ及び図４ｂは、変形版として接合点２６で包囲型境界２４と角度を形成して前述の接合点の周りで星に似た形状を得るようにする内側縁部１６を含む、類似したブラジャーを描写している。
【００５０】
各内側縁部１６を包囲型境界２４に接続するための別の技術によって、類似した性質を示すブラジャーが同様に得られる。
【００５１】
さらなる利点として、これらの製品に通常使用される任意のタイプの布地を、本発明によるブラジャーに使用することができ、これは例えばシリコーンの層のような、加えられる異なる層または表面コーティングを含むことができ、適切な形状と弾性を局所的に与えるようにする。
【符号の説明】
【００５２】
２      カップ
４      肩紐
６      後方取付け部、後方取付け点、バックル
８      ベルト
１０    高さ調整ホック
１２    後部ホック、ホック
１４    前方取付け点
１６    内側補強縁部
１８    中央リンク
２０    外側補強縁部
２２    支持用縁部
２４    包囲型境界
２６    接合点
２８    後側縁部
３０    支持部
３２    下側補強縁部、下側縁部
３２    人の脇の腕の下に位置する点
【図１ａ】
2018500474.tif 000003
【図１ｂ】
2018500474.tif 000004
【図２ａ】
2018500474.tif 000005
【図２ｂ】
2018500474.tif 000006
【図３ａ】
2018500474.tif 000007
【図３ｂ】
2018500474.tif 000008
【図４ａ】
2018500474.tif 000009
【図４ｂ】
2018500474.tif 000010
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
中央リンクによって互いに取付けられた２つのカップと、
前記２つのカップの各々の側部に付けられた側方ベルトであって、前記側方ベルトの端を互いにつなぐための中央の後部ホックにより後方で終端する側方ベルトと、
前記２つのカップの各々の前部で前記２つのカップの各々の上部を支える肩紐とを備え、
前記肩紐が、前記中央リンクと出会う内側補強縁部を介して、および、前記カップから隔たり、前記中央の後部ホックまで連続的に下降しながら延在し、前記側方ベルトの上側の輪郭を形成する外側補強縁部を介して、前方に延び、
前記側方ベルトが、前記外側補強縁部と前記カップの間で前記カップの頂部まで上に上がり、
前記カップの下で始まり、外側に延び、連続的に上に行き、前記肩紐の後方取付け点で終端する支持用縁部をさらに含み、
前記支持用縁部が、前記側方ベルトと独立した支持部の上側の輪郭を形成する、
ブラジャー。
【請求項２】
前記側方ベルトの下側を連続的に覆う下側補強縁部を備える、
請求項１に記載のブラジャー。
【請求項３】
前記下側補強縁部が、また、前記２つのカップの支持部の下側を覆っている、
請求項２に記載のブラジャー。
【請求項４】
前記支持部の上側の輪郭を覆う前記支持用縁部が、前記中央の後部ホックへと対称な曲線で下る後側縁部によって、前記肩紐の前記後方取付け点を越えて延在する、
請求項１〜３のいずれか１項に記載のブラジャー。
【請求項５】
前記支持用縁部及び前記支持部が、前記側方ベルト外側に配置されている、
請求項１〜４のいずれか１項に記載のブラジャー。
【請求項６】
前記２つのカップの各々が、前記中央リンクで始まり、各前記カップの下側の輪郭に沿い、その後は各前記カップの外側の輪郭に沿い、最後には接合点で前記内側補強縁部と出会う、前記２つのカップの各々の包囲型境界を含む、
請求項１〜５のいずれか１項に記載のブラジャー。
【請求項７】
前記中央リンクが、前記２つのカップを隔てる小さい水平な上側縁部を含む、
請求項１〜６のいずれか１項に記載のブラジャー。
【請求項８】
前記２つのカップの前記内側補強縁部が、前記中央リンクで平行に出会う、
請求項１〜６のいずれか１項に記載のブラジャー。
【請求項９】
前記内側補強縁部が、前記中央リンクで約９０°の角度で交差する、
請求項１〜６のいずれか１項に記載のブラジャー。
【請求項１０】
前記２つのカップの前記内側補強縁部が、前記包囲型境界との前記接合点で角度を形成する、
請求項６に記載のブラジャー。
【請求項１１】
前記ブラジャーの布地上に、シリコーンの表面層を備える、
請求項１〜１０のいずれか１項に記載のブラジャー。
【請求項１２】
前記外側補強縁部と前記支持用縁部が、前記ブラジャーの着用者の腕の下であって、脇に相当する点で、互いに交差する、
請求項１〜１１のいずれか１項に記載のブラジャー。
【手続補正２】
【補正対象書類名】明細書
【補正対象項目名】００５１
【補正方法】変更
【補正の内容】
【００５１】
さらなる利点として、これらの製品に通常使用される任意のタイプの布地を、本発明によるブラジャーに使用することができ、これは例えばシリコーンの層のような、加えられる異なる層または表面コーティングを含むことができ、適切な形状と弾性を局所的に与えるようにする。
［第１の局面］
中央リンク（１８）によって互いに取付けられた２つのカップ（２）を含むブラジャーであって、
各々の側に前記カップの側部に付けられる側方ベルト（８）、ならびに前部で前記カップの上部を支える肩紐（４）を含み、
前記側方ベルトは互いに前記ベルトをつなぐための中央の後部ホック（１２）により後方で終端し、
各肩紐（４）が、中央リンク（１８）と出会う内側補強縁部（１６）を介して、および、カップ（２）から隔たり、ベルト（８）の上側の輪郭を形成する、ホック（１２）まで連続的に下降しながら延在する外側補強縁部（２０）を介して、前方に延び、
当該ベルトが、前記外側縁部と前記カップの間でカップの頂部まで上に上がることを特徴とし、
カップ（２）の下で始まり、外側に延び、連続的に上に行き、肩紐（４）の後方取付け点（６）で終端する支持用縁部（２２）をさらに含み、
前記支持用縁部が、ベルト（８）と独立した支持部（３０）の上側の輪郭を形成する、
前記ブラジャー。
［第２の局面］
前記２つのベルト（８）の下側を連続的に覆う下側補強縁部（３２）を含むことを特徴とする、
第１の局面に記載のブラジャー。
［第３の局面］
前記下側縁部（３２）がまた、支持部（３０）の下側を覆っていることを特徴とする、
第２の局面に記載のブラジャー。
［第４の局面］
支持部（３０）の上側を覆う支持用縁部（２２）が、前記後部ホック（１２）へと対称な曲線で下る後側縁部（２８）によって、後方取付け部（６）を越えて延在することを特徴とする、
先行局面のいずれかに記載のブラジャー。
［第５の局面］
支持用縁部（２２）及び支持部（３０）が、ベルト（８）の表（外）側に配置されていることを特徴とする、
先行局面のいずれかに記載のブラジャー。
［第６の局面］
各カップ（２）が、中央リンク（１８）で始まり、その下側の輪郭に、そしてその後は外側の輪郭に沿い、最後には接合点（２６）で内側縁部（１６）と出会う、各々の側の包囲型境界（２４）を含むことを特徴とする、
先行局面のいずれかに記載のブラジャー。
［第７の局面］
中央リンク（１８）が、前記２つのカップ（２）を隔てる小さい水平な上側縁部を含むことを特徴とする、
先行局面のいずれかに記載のブラジャー。
［第８の局面］
前記２つの内側縁部（１６）が、前記中央リンク（１８）で平行に出会うことを特徴とする、
第１の局面〜第６の局面のいずれかに記載のブラジャー。
［第９の局面］
前記２つの内側縁部（１６）が、前記中央リンク（１８）において約９０°の角度で交差することを特徴とする、
第１の局面〜第６の局面のいずれかに記載のブラジャー。
［第１０の局面］
前記内側縁部（１６）が、前記包囲型境界（２４）との接合点（２６）で角度を形成することを特徴とする、
第６の局面に記載のブラジャー。
【国際調査報告】
2018500474.tif 000011
2018500474.tif 000012